(57)【要約】      （修正有）【課題】ドライバー工具に着脱自在に装着するようにしてドライバー工具に加工を施す必要をなくし、高い製作費が掛からず、各種サイズのドライバー工具に適用でき至便であって扱いも容易なドライバー工具用照明具を提供する。【解決手段】発光体１を備えた照明部３と、ドライバー工具Ｂの軸部ｂ１に着脱自在に装着される取付部４とからなり、取付部４は軸部ｂ１が遊挿されるように両端が開口４ａ，４ｂする筒状に形成され、取付部４の外周面に螺子孔を開設すると共に該螺子孔に先端が取付部４内に自在に進退動する締付螺子８を螺合し、ドライバー工具Ｂの軸部ｂ１に取付部４を装着した状態では、発光体１が軸部ｂ１先端の刃先部ｂ２側を向き該刃先部ｂ２を照らすようにした。【選択図】図２
0003174490.tif 000002
【実用新案登録請求の範囲】
【請求項１】
発光体を備えた照明部と、
ドライバー工具の軸部に着脱自在に装着される取付部とからなり、
前記取付部は前記軸部が遊挿されるように両端が開口する筒状に形成され、前記取付部の外周面に螺子孔を開設すると共に該螺子孔に先端が前記取付部内に自在に進退動する締付螺子を螺合し、
前記ドライバー工具の軸部に前記取付部を装着した状態では、前記発光体が前記軸部先端の刃先部側を向いて該刃先部を照らすようにしたことを特徴とするドライバー工具用照明具。
【考案の詳細な説明】
【技術分野】
【０００１】
本考案は、ドライバー工具に着脱自在に装着し、暗い場所での螺子の取り付け又は取り外し作業が容易に行なえるようにしたドライバー工具用照明具に関するものである。
【背景技術】
【０００２】
従来、屋内または屋外であって暗い場所で螺子の取り付けまたは取り外し作業を行なう場合は、ドライバー工具と共に別途に手で持つ懐中電灯を用意したり、頭にヘッドランプを装着するようにしている。そして、懐中電灯の場合は一方の手で懐中電灯を持つと共に他方の手でドライバー工具を持ち、螺子の頭部に懐中電灯の光を照らしながら、該頭部の溝にドライバー工具における軸部先端の刃先部を宛がって、螺子の付け外し作業を行なっている。また、ヘッドランプの場合は両手が自由なことから、一方の手でドライバー工具の軸部を支持すると共に他方の手で柄部を握って螺子の付け外し作業を行なっている。
【０００３】
前者の場合は、片方の手だけでドライバー工具を操作しなくてはならないので、手元が不安定になり易く作業もし難い。また、後者の場合は、両手が自由になるのでドライバー工具の操作はし易いものの、ヘッドランプのみではその照明が手元で遮られ螺子が影となってしまい、螺子やドライバー工具先端が見え難いといった課題がある。
【０００４】
前記課題に鑑み、例えばドライバー工具の柄部に軸部先端の刃先部を照らす発光体と共に電池、スイッチといった電気部品を組み込んで、作業時にスイッチを押して発光体を発光させ刃先部を照らすようにしたドライバー工具が開発されている（例えば、特許文献１参照。）。
【先行技術文献】
【特許文献】
【０００５】
【特許文献１】実用新案登録第３１１９８８８号公報（第３−４頁、図２）
【考案の概要】
【考案が解決しようとする課題】
【０００６】
しかしながら、前記特許文献１に係るドライバー工具にあっては、別途に懐中電灯を用意する必要がないことから作業上便利であり、しかも、ヘッドランプのように発光体の光が手元で遮られるようなことがなく螺子が見易いものの、ドライバー工具の柄部に発光体を始め電池、スイッチといった電気部品を組み込む必要が有る。このため、ドライバー工具の構造が複雑化して、ドライバー工具の製作が面倒になるばかりか製作費も高くなるという致命的な課題を有する。また、発光体がドライバー工具に一体に設けられることから、発光体を備えた各種サイズのドライバー工具を製作しなければならない。更に、柄部に組み込まれた一部の電気部品が破損するとドライバー工具自体を新しいものと交換する必要が生じ、このような場合は経済的でない。
【０００７】
そこで、本考案は前記課題を解決すべくなされたもので、ドライバー工具に着脱自在に装着するようにしてドライバー工具に加工を施す必要をなくし、高い製作費が掛からず、各種サイズのドライバー工具に適用でき至便であって扱いも容易なドライバー工具用照明具を提供することを目的とするものである。
【課題を解決するための手段】
【０００８】
かかる目的を達成するために、本考案に係るドライバー工具用照明具は、発光体を備えた照明部と、ドライバー工具の軸部に着脱自在に装着される取付部とからなり、前記取付部は前記軸部が遊挿されるように両端が開口する筒状に形成され、前記取付部の外周面に螺子孔を開設すると共に該螺子孔に先端が前記取付部内に自在に進退動する締付螺子を螺合し、前記ドライバー工具の軸部に前記取付部を装着した状態では、前記発光体が前記軸部先端の刃先部側を向いて該刃先部を照らすようにしたことを特徴とする。
【考案の効果】
【０００９】
本考案に係るドライバー工具用照明具は、発光体を備えた照明部と、ドライバー工具の軸部に着脱自在に装着される取付部とからなり、該取付部は軸部が遊挿される筒状に形成され、取付部の外周面に螺子孔を開設すると共に該螺子孔に先端が取付部内に自在に進退動する締付螺子を螺合し、ドライバー工具の軸部に取付部を装着した状態では、発光体が軸部先端の刃先部側を向いて該刃先部を照らすようにしている。このように、ドライバー工具自体に発光体、電池といった電気部品を組み込む必要がなく、ドライバー工具用照明具のみを製作すれば良いから高い制作費が掛からない。また、ドライバー工具に着脱自在に装着するようにして各種サイズのドライバー工具に適用できるので、汎用性があって至便である。更に、ドライバー工具用照明具が破損した場合も、該ドライバー工具用照明具のみを修理するか交換すれば済み、ドライバー工具はそのまま使用できて経済的であるという効果を有する。
【図面の簡単な説明】
【００１０】
【図１】本考案に係るドライバー工具用照明具の斜視図。
【図２】同ドライバー工具用照明具をドライバー工具に装着した状態の斜視図。
【図３】図２のＸ−Ｘ線拡大断面図。
【図４】本考案が適用されるドライバー工具を使用する状態の積算電力量計の側面図。
【考案を実施するための形態】
【００１１】
以下、本考案に係るドライバー工具用照明具の最良の実施の形態を図面に基づき詳しく説明する。図１は本考案に係るドライバー工具用照明具の斜視図、図２は同ドライバー工具用照明具をドライバー工具に装着した状態の斜視図、図３は図２のＸ−Ｘ線拡大断面図である。ドライバー工具用照明具Ａは、発光体であるＬＥＤ１を備えた照明具２が保持される照明部３と、後記するドライバー工具Ｂの軸部ｂ１が遊挿される取付部４とからなる。また、照明部３は照明具２が嵌る保持部５を有している。
【００１２】
前記保持部５と取付部４は共に合成樹脂材により成形され、保持部５と取付部４はほぼ同じ外径、同じ長さの円筒からなる。そして、共にその中心軸線が平行をなし一体に形成されている。保持部５は、一端が開口５ａすると共に他端が閉塞５ｂしており、その中に円柱状の照明具２が開口５ａ側からきつく嵌合されている。該照明具２にはＬＥＤ１、電池（図示せず。）、スイッチ６といった電気部品がコンパクトに組み込まれている。詳しくは、前記保持部５の開口５ａから突出した照明具２の先端にＬＥＤ１が設けられ、また、開口５ａの外側であって照明具２の外周面にスイッチ６が設けられている。ＬＥＤ１は円筒状をなす保持部５の中心軸線上に位置し、その前方を照らす。
【００１３】
取付部４はその両端が開口４ａ，４ｂしており、各種のサイズのドライバー工具Ｂの軸部ｂ１が遊挿できるようにその内径寸法が設定されている。そして、該取付部４の外周面に螺子孔７が開設されており、該螺子孔７に合成樹脂製の締付螺子８が螺合している。この締付螺子８はその頭部８ａの外周面にローレット加工が施され、該頭部８ａを指先で摘んで正回転または逆回転させることにより、該締付螺子８の螺子部８ｂが取付部４内に自在に進退動するようになっている。そこで、その先端８ｃをドライバー工具Ｂの軸部ｂ１の外周面に押し当てることにより、ドライバー工具用照明具Ａが固定できる。前記螺子部８ｂは、円筒状の取付部４の中心軸線に向かい直交状に位置した状態で進退動する。
【００１４】
照明部３には照明具２を嵌めるようにしたが、照明部３自体を照明具として形成するようにしても良い。すなわち、照明部３にＬＥＤ、電池、スイッチといった電気部品を直接組み込むようにしても良い。このように、取付部４と保持部５をほぼおなじ外径に形成すると共にそれら中心軸線を平行となし、かつ、密着させるようにして形成しているので、全体にコンパクトに形成することができ、ドライバー工具用照明具Ａの小型化が可能となる。
【００１５】
本考案に係るドライバー工具用照明具Ａは上記構成からなり、次に該ドライバー工具用照明具Ａのドライバー工具Ｂへの装着方法について説明する。ドライバー工具Ｂは、金属製の軸部ｂ１を有し、その先端にプラス字状またはマイナス字状の刃先部ｂ２が形成される（この場合は、マイナス字状の刃先部ｂ２である。）。また、軸部ｂ１の基端には合成樹脂とゴムとを組み合わせた柄部ｂ３が設けられ、軸部ｂ１の基端側が柄部ｂ３内に入り込んでいる。更に、柄部ｂ３は、手に持ちやすいように外周面がその中心軸線方向に沿って曲面に形成され、握り易くなっている。なお、ドライバー工具Ｂは柄部ｂ３が木製のものでも良い。
【００１６】
そこで、ドライバー工具Ｂの刃先部ｂ２側に、軸部ｂ１の中心軸線と取付部４の中心軸線とがほぼ一致しかつＬＥＤ１が刃先部ｂ２と同じ方向を向くようにして、ドライバー工具用照明具Ａを配置する。そして、この状態で取付部４におけるＬＥＤ１とは反対側の開口４ｂから軸部ｂ１先端の刃先部ｂ２を遊挿し、ドライバー工具用照明具Ａを軸部ｂ１の奥端側に位置させる。この状態で、指先により取付部４に設けられた締付螺子８の頭部８ａを所定方向へ回動し、該締付螺子８の先端８ｃを軸部ｂ１の外周面に当接させる。この場合、軸部ｂ１には安全のため樹脂製の筒状カバーｂ４が被覆されているので、その筒状カバーｂ４の表面に締付螺子８における螺子部８ｂの先端８ｃを当接させる。これにより、ドライバー工具Ｂにドライバー工具用照明具Ａが着脱自在に装着される。
【００１７】
次に、このようにしてドライバー工具用照明具Ａが装着されたドライバー工具Ｂを使って、螺子の付け外し作業を説明する。図４は、本考案が適用されるドライバー工具を使用する状態の積算電力量計の側面図である。積算電力量計Ｃは一般に各住宅の外壁Ｗに装着され、図示は省略するが、電柱からの引込線が接続されると共に該積算電力量計Ｃからの配線が住宅内のブレーカーに接続される。特に、密集した住宅街にあっては、積算電力量計Ｃが住宅間の狭まった暗い壁Ｗに装着される場合が多く、このようなところでの積算電力量計Ｃの保守・点検のため、締付用の螺子の付け外し作業に本考案に係るドライバー工具用照明具Ａを装着したドライバー工具Ｂが用いられる。
【００１８】
積算電力量計Ｃは、計器本体ｃ１の前面が透明なカバー部材ｃ２により被着されており、該計器本体ｃ１の下端が配電線（図示せず。）を接続するための箱枠状の端子部ｃ３になっている。該端子部ｃ３は、その前面が開放されると共にその前面に該端子部ｃ３を覆う端子蓋ｃ４が着脱自在に被着されている。更に詳しく説明すると、端子部ｃ３には被着された端子蓋ｃ４が外れないように、その左右二箇所に封印螺子ｃ５が螺着されており、該封印螺子ｃ５を付け外しすることによって、端子蓋ｃ４が開閉できるようになっている。
【００１９】
そこで、積算電力量計Ｃの周囲が暗く封印螺子ｃ５が見えないときは、照明部３のスイッチ６を押してＬＥＤ１を発光させる。これにより、その光が軸部ｂ１先端の刃先部ｂ２側を照らす。よって、ドライバー工具Ｂの刃先部ｂ２を積算電力量計Ｃの端子蓋ｃ４に近づけると、ＬＥＤの光により封印螺子ｃ５の位置が簡単に分かる。次いで、図４に示すようにその封印螺子ｃ５における螺子頭部ｃ６の溝ｃ７に軸部ｂ１先端の刃先部ｂ２を宛がい、ドライバー工具Ｂを図４矢視方向へ回動させる。これにより、一方の封印螺子ｃ５が取り外せる。同様にして他方の封印螺子ｃ５も取り外す。端子蓋ｃ４を外して端子部ｃ３を点検した後は、再び端子蓋ｃ４を被せると共に両封印螺子ｃ５を元の位置に取り付ける。この際も、前記のようにしてＬＥＤ１を照らして行なえば、封印螺子ｃ５が見え難いといったことはなく作業が容易に行なえる。
【００２０】
この際、ドライバー工具用照明具Ａは、取付部４と保持部５とが共に中心軸線の平行な円筒状をなし、これらが一体に形成されてコンパクト化している。よって、端子蓋ｃ４上面で封印螺子ｃ５がカバー部材ｃ２側へ近接して位置しているとしても、封印螺子ｃ５を付け外しする際にドライバー工具Ｂの回動動作と共にその周囲を回動するドライバー工具用照明具Ａがカバー部材ｃ２の外周面に当たるなどして、ドライバー工具Ｂの回動動作に支障をきたすといったことはほとんどない。
【００２１】
以上のように、本考案に係るドライバー工具用照明具Ａは、ドライバー工具Ｂ自体にＬＥＤ１、電池といった電気部品を組み込む必要がなく、ドライバー工具用照明具Ａのみを製作すれば良いから高い製作費が掛からない。また、ドライバー工具Ｂに着脱自在に装着するようにして各種サイズのドライバー工具Ｂに適用できるので、汎用性があって至便である。更に、ドライバー工具用照明具Ａが破損した場合も、該ドライバー工具用照明具Ａのみを修理するか交換すれば済み、ドライバー工具Ｂはそのまま使用できる。
【符号の説明】
【００２２】
１            発光体（ＬＥＤ）
２            照明具
３            照明部
４            取付部
４ａ          開口
４ｂ          開口
５            保持部
５ａ          開口
５ｂ          閉塞
６            スイッチ
７            螺子孔
８            締付螺子
８ａ          頭部
８ｂ          螺子部
８ｃ          先端
Ａ            ドライバー工具用照明具
Ｂ            ドライバー工具
ｂ１          軸部
ｂ２          刃先部
ｂ３          柄部
ｂ４          筒状カバー
【図１】
0003174490.tif 000003
【図２】
0003174490.tif 000004
【図３】
0003174490.tif 000005
【図４】
0003174490.tif 000006